(57)【要約】【課題】枚葉紙をもぎ取り装置に供給する間、枚葉紙がくわえづめブリッジの後で前方に向かって押し縮められてしまうのを防止する。【解決手段】枚葉紙打ち抜き・型押し機は、打ち抜かれ、型押しされた枚葉紙６から裁ちくずをもぎ取るもぎ取り装置と、循環するチェーンに取り付けられ、枚葉紙６を前縁で把持した後、枚葉紙打ち抜き・型押し機内のもぎ取り装置と他の装置に間欠的に通すくわえづめブリッジ８を有している。もぎ取り装置は枚葉紙を載せるもぎ取り板１５を備え、もぎ取り板１５は、枚葉紙６の入口領域２１に、かつ、もぎ取り用開口２０の前に、下方から負圧を作用させることができる少なくとも１つの吸引開口２２を備えている。【選択図】図２
2004195646.tif 000002
【特許請求の範囲】
【請求項１】
枚葉紙（６）を載せるもぎ取り板（１５）を備え、打ち抜かれ、型押しされた前記枚葉紙（６）から裁ちくずをもぎ取るもぎ取り装置（３）と、循環するチェーン（７）に取り付けられ、前記枚葉紙（６）を前縁で把持した後、枚葉紙打ち抜き機（１）内の前記もぎ取り装置（３）と他のステーション（２，４）に間欠的に通すくわえづめブリッジ（８）とを有する枚葉紙打ち抜き・型押し機において、
前記もぎ取り板（１５）は、下方から負圧を作用させることができる少なくとも１つの吸引開口（２２）を前記枚葉紙（６）の入口領域（２１）に、かつ、もぎ取り用開口（２０）の前に備えていることを特徴とする枚葉紙打ち抜き・型押し機。
【請求項２】
枚葉紙走行方向に対して横方向に延びる少なくとも１列、特に２列の吸引開口（２２）が、枚葉紙走行方向に前後に並んで前記もぎ取り板（１５）に配置されている、請求項１に記載の枚葉紙打ち抜き・型押し機。
【請求項３】
それぞれが、圧力管（２５）に接続された複数の吸引開口（２２）を有する少なくとも１つの吸引バー（２４）、特に４つの吸引バー（２４）が、前記もぎ取り板（１５）に、枚葉紙走行方向に対して横方向に配置されている、請求項１に記載の枚葉紙打ち抜き・型押し機。
【請求項４】
少なくとも２列の吸引バー（２４）が前記もぎ取り板（１５）に、枚葉紙走行方向に配置されている、請求項３に記載の枚葉紙打ち抜き・型押し機。
【請求項５】
負圧を発生させ、無圧に切換え、正圧を供給する、導管（２５）を介して前記吸引開口（２２）または前記吸引バー（２４）に接続された少なくともそれぞれ１つの切換え可能なユニット（２３）が、各吸引開口（２２）または各吸引バー（２４）の領域で前記もぎ取り板（１５）の下側に取り付けられている、請求項１から４のいずれか１項に記載の枚葉紙打ち抜き・型押し機。
【発明の詳細な説明】
【技術分野】
【０００１】
本発明は、打ち抜かれ型押しされた枚葉紙から裁ちくずをもぎ取る装置であって、枚葉紙を載せるもぎ取り板を備える装置と、循環するチェーンに取り付けられ、枚葉紙をその前縁で把持した後、機械内のもぎ取りステーションと他のステーションに間欠的に通すくわえづめブリッジを備えている枚葉紙打ち抜き・型押し機に関する。
【背景技術】
【０００２】
搬送装置上で互いに間隔を置いて、ある面内で搬送される枚葉紙、特に紙または厚紙の枚葉紙を制動する装置が特許文献１から知られている。ストリームフィード状の流れを最初に生成する制動装置が機械の終端の、パイル位置の前にある。制動装置は、循環する複数のベルトと案内テーブルから構成されている。案内テ―ブルは吸着テーブルとして構成されており、ベルトは吸引孔を循環方向に備えている。したがって、ベルトと枚葉紙の間にある空気を吸引することができ、それによって、枚葉紙の端部が入口面からベルト上に支障なく載せられ、枚葉紙をスムースにストリームフィード状にすることができる。
【０００３】
枚葉紙から裁ちくずをもぎ取る同様の装置が特許文献２に記載されている。枚葉紙はくわえづめブリッジに保持され、チェーンによって間欠的にステーション間を移動させられる。この場合、もぎ取りステーションは、上下に動く、もぎ取り工具が配置された上部分と下部分から構成されている。この間にある固定された中央部分が１枚のプレートから構成されている。機械をできるだけ能力いっぱいに利用するために、枚葉紙は個々のステーションへ高速で供給される。これらの枚葉紙は、打ち抜きステーションから送られてきて強く加速され、もぎ取りステーションにおいて制動されて、正確な位置に位置決めされる。くわえづめブリッジは、機械的なストッパに当接して位置決めされる。枚葉紙は、強く減速されて機械式のストッパに当接する際、くわえづめブリッジの後で前方に向かって押し縮められる(Aufstauen)ことがあり、これによって、もぎ取りステーションにおける枚葉紙の位置決めが不完全になるおそれがある。
【特許文献１】独国特許公開第４１１９５１１号明細書
【特許文献２】独国特許公開第２４５４０５６号明細書
【発明の開示】
【発明が解決しようとする課題】
【０００４】
本発明の目的は、枚葉紙をもぎ取りステーションに供給する間、しっかりと保持し、それによって、枚葉紙がくわえづめブリッジの後で前方に向かって押し縮められてしまうのを防止するように、枚葉紙打ち抜き・型押し機のもぎ取りステーションを改良することにある。
【課題を解決するための手段】
【０００５】
この目的は、請求項１により、もぎ取り板が、下から負圧を作用させることができる少なくとも１つの吸引開口を枚葉紙の入口領域に、かつ、もぎ取り開口の前に備えることによって達成される。吸引開口を枚葉紙の入口領域に配置することによって、枚葉紙を、もぎ取りステーションに供給する間、直ぐに引き付けることができる。枚葉紙は吸引開口における真空によってもぎ取り板に引き付けられ、したがって、くわえづめブリッジが減速される間に、また、機械式のストッパに当たる際に枚葉紙が前方に向かって押し縮められてしまうのが回避される。
【発明を実施するための最良の形態】
【０００６】
以下、本発明の実施形態について図面を参照して説明する。
【０００７】
紙、ボール紙等からなる枚葉紙の打ち抜き、もぎ取り、および排紙を行なう枚葉紙打ち抜き・型押し機１の原理的な構造が図１に示されている。枚葉紙打ち抜き・型押し機１は、共通の機械ハウジング５によって支持され囲まれた打ち抜き装置２、もぎ取り装置３、および排紙装置４から構成されている。
【０００８】
枚葉紙６は、循環するチェーン７にしっかりと取り付けられたくわえづめブリッジ８によって前縁を把持され、枚葉紙打ち抜き機１の様々なステーション、すなわち打ち抜き装置２、もぎ取り装置３、および排紙装置４を間欠的に通される。
【０００９】
打ち抜きステーション、すなわち打ち抜き装置２は下側テーブル９と上側テーブル１０から構成されている。下側テーブル９は機械ハウジング５に剛に支持され、打ち抜き刃用の対向板を備えている。上側テーブル１０は鉛直に往復運動できるように支持されている。
【００１０】
枚葉紙６はくわえづめブリッジ８によって打ち抜きステーション、すなわち打ち抜き装置２から、もぎ取り工具が備えられた次のもぎ取りステーション、すなわちもぎ取り装置３へ搬送される。もぎ取りステーション、すなわちもぎ取り装置３において、不要な裁ちくず１１がもぎ取り工具によって枚葉紙６から下方に押し出され、これによって、裁ちくず１１は、もぎ取りステーション３の下に挿入された、容器のようになった台車１２内に落ちる。
【００１１】
枚葉紙６は、もぎ取りステーション、すなわちもぎ取り装置３から排紙ステーション、すなわち排紙装置４に到達し、そこで、単に排紙されるか、または同時に各ブランクに切り離される。排紙ステーション、すなわち排紙装置４は、個々の枚葉紙がパイル１４の形態で積み上げられるパレット１３を備えていてもよく、その結果、所定のパイル高さに達した後、各パレット１３を枚葉紙６のパイル１４と共に枚葉紙打ち抜き・型押し機１の領域から運び出すことができる。
【００１２】
チェーン７は、図から分かるように、複数の、例えばここでは８個のくわえづめブリッジ８を支持しており、その結果、複数の枚葉紙６を様々なステーション、すなわち打ち抜き装置２、もぎ取り装置３、および排紙装置４で同時に処理することができる。
【００１３】
本発明の、枚葉紙打ち抜き・型押し機１のもぎ取り装置３の好ましい実施形態が図２に詳細に示されている。もぎ取り装置３は、もぎ取り板１５と、もぎ取り工具１７を備える鉛直に往復運動可能な２つの支持フレーム１８および１６から構成されている。枚葉紙６はくわえづめブリッジ８によって引き止められ、また、くわえづめブリッジ８はもぎ取りステーション３内の見当合わせストッパ１９によって引き止められている。裁ちくず１１をもぎ取るために、もぎ取り用開口２０がもぎ取り板１５に設けられている。
【００１４】
枚葉紙６は、打ち抜きステーション、すなわち打ち抜き装置２から送られて、もぎ取りステーション、すなわちもぎ取り装置３に供給される。吸引開口２２がもぎ取り板１５の入口領域２１に備えられている。切換え可能な空気圧ユニット２３がもぎ取り板１５の下側に取り付けられている。
【００１５】
枚葉紙６は、高いサイクル数で、したがって高速でもぎ取りステーション、すなわちもぎ取り装置３に供給される。くわえづめブリッジ８は同様に大きな減速速度で制動され、この結果、枚葉紙６は、適切な対策が施されなければ、くわえづめブリッジ８の後で前方に向かって押し縮められ、もぎ取り工具１７の下に湾曲して置かれる。本発明により吸引開口２２を設けることによって、枚葉紙６はもぎ取りステーション、すなわちもぎ取り装置３に供給される間、もぎ取り板１５に引き付けられ、後部が制動される。これによって、枚葉紙６は、供給される間、常に張られた状態になり、前方に向かって押し縮められ、すなわち湾曲することはない。枚葉紙６が、もぎ取りステーション、すなわちもぎ取り装置３から出て行く際に不必要に引き止められないように、切換え可能な空気圧ユニット２３が吸引開口２２の下方に配置されている。切換え可能な空気圧ユニット２３は、
１.負圧を発生させる、
２.吸引開口２２を無圧状態に切換える、
３.吸引開口２２を正圧にする
ことができる。
【００１６】
したがって、枚葉紙６を送り出すために、負圧を止めて吸引開口２２を正圧にすることができる。枚葉紙６はこの正圧によってもぎ取り板１５から放される。特に、帯電防止対策を施した圧縮空気を用いるのが有利なことが分かっている。
【００１７】
吸引開口２２は、特に、もぎ取りステーション、すなわちもぎ取り装置３の入口領域２１に配置されている。これにより、枚葉紙６を、もぎ取りステーション、すなわちもぎ取り装置３に送り込まれ始めて直ぐに吸引開口２２の負圧によって把持でき、この結果、枚葉紙６は供給される間、常に張られた状態に保たれるという利点が得られる。本発明の好適な実施形態において、２列の吸引開口２２が枚葉紙走行方向に前後に並んでもぎ取り板１５に配置されている。
【００１８】
図３は、もぎ取り板１５の入口領域２１の平面図を示している。もぎ取り板１５は吸引バー２４を備えている。吸引バー２４は複数の吸引開口２２、この例では３つの吸引開口２２を備えているが、吸引バー２４は２つの、または３つより多くの吸引開口２２を含んでもよい。枚葉紙６をより強く保持し、より強く張るために、この好適な実施形態では、２列の吸引バー２４が枚葉紙走行方向に前後に並んで配置されている。吸引バー２４は、図４に示すように、圧力管２５を介して空気圧ユニット２３に接続されている。
【００１９】
図４は図３のＩＶ−ＩＶ線に沿った断面図を示している。これはもぎ取り板１５の入口領域２１の断面である。吸引バー２４は差し込み部としてもぎ取り板１５に嵌め込まれている。吸引バー２４の吸引開口２２は、もぎ取り板１５の下側で、切換え可能な空気圧ユニット２３に圧力管２５を介して接続されている。また、空気圧ユニット２３は、圧力管２５を介して正圧を作用させる。吸引開口２２は空気圧ユニット２３によって負圧または正圧にすることができる。同様に圧力管２５を無圧に切り換えることもでき、もぎ取りユニット、すなわちもぎ取り装置３を用いない場合、吸引開口２２を無圧に切り替えることができる。
【図面の簡単な説明】
【００２０】
【図１】枚葉紙打ち抜き・型押し機の原理的な構造を示す図である。
【図２】枚葉紙打ち抜き・型押し機のもぎ取りステーションの側面図である。
【図３】もぎ取り用開口を有するもぎ取り板の入口領域の平面図である。
【図４】もぎ取り板の、吸引バーの領域における断面図である。
【符号の説明】
【００２１】
１    枚葉紙打ち抜き・型押し機
２    打ち抜き装置
３    もぎ取り装置
４    排紙装置
５    機械ハウジング
６    枚葉紙
７    チェーン
８    くわえづめブリッジ
９    下側テーブル
１０    上側テーブル
１１    裁ちくず
１２    台車
１３    パレット
１４    パイル
１５    もぎ取り板
１６，１８    支持フレーム
１７    もぎ取り工具
１９    見当合わせストッパ
２０    もぎ取り用開口
２１    入口領域
２２    吸引開口
２３    空気圧ユニット
２４    吸引バー
２５    圧力管
【図１】
2004195646.tif 000003
【図２】
2004195646.tif 000004
【図３】
2004195646.tif 000005
【図４】
2004195646.tif 000006